(57)【要約】【課題】  包装入りサンドイッチの包装体の剛性を高める。【解決手段】両側辺が先端に向かって幅狭となるプラスチックフィルム製の一対のシート１Ａ、１Ｂを重ね合わせ、各シートの先端所定範囲をタブ４Ａ、４Ｂとして残した状態で、両側辺を横断する線に沿って各シート同士を接着した頂部封止部２と、頂部封止部より後方の各シートの両側辺同士を接着した側面封止部３、３により３方を封止した袋体Ｐを構成し、この袋体内に袋体より全長が短い三角形のサンドイッチＳを挿入することにより、袋体をサンドイッチの外形に沿った板状の三角形の立体形状に拡げ、袋体の開口側の余剰部分４を収容したサンドイッチの後端に向かって折り畳んで封止した包装入りサンドイッチにおいて、立体形状に拡げた際に構成される三角形の角部に相当する袋体の箇所に、予め折れ目Ｐ１を設ける。【選択図】      図１
0003114101.tif 000002
【実用新案登録請求の範囲】
【請求項１】
両側辺が先端に向かって幅狭となるプラスチックフィルム製の一対のシートを重ね合わせ、各シートの先端所定範囲をタブとして残した状態で、両側辺を横断する線に沿って各シート同士を接着した頂部封止部と、頂部封止部より後方の各シートの両側辺同士を接着した側面封止部により３方を封止した袋体を構成し、この袋体内に袋体より全長が短い三角形のサンドイッチを挿入することにより、袋体をサンドイッチの外形に沿った板状の三角形の立体形状に拡げ、袋体の開口側の余剰部分を収容したサンドイッチの後端に向かって折り畳んで封止した包装入りサンドイッチにおいて、立体形状に拡げた際に構成される三角形の角部に相当する袋体の箇所に、予め折れ目を設けたことを特徴とする包装入りサンドイッチ。
【請求項２】
立体形状に拡げた際に構成される三角形の角部に相当するシートの箇所に設けられる各折れ目の後端を環状に結ぶ折れ目を、予め袋体に設けた請求項１記載の包装入りサンドイッチ。
【請求項３】
袋体の開口側の余剰部分を収容したサンドイッチの後端に向かって折り畳む際の折り畳み線に相当する袋体の箇所に、予め折れ目を設けた請求項１又は２記載の包装入りサンドイッチ。
【考案の詳細な説明】
【技術分野】
【０００１】
この考案は、プラスチックフィルム製の包装袋に収容された包装入りサンドイッチに関する。
【背景技術】
【０００２】
両側辺が先端に向かって幅狭となるプラスチックフィルム製の一対のシートを重ね合わせ、各シートの先端所定範囲をタブとして残した状態で、両側辺を横断する線に沿って各シート同士を接着した頂部封止部と、頂部封止部より後方の各シートの両側辺同士を接着した側面封止部により３方を封止した袋体がサンドイッチの包装袋として公知である（特許文献１）。上記袋体内に袋体より全長が短い三角形のサンドイッチを挿入することにより、袋体をサンドイッチの外形に沿った板状の三角形の立体形状に拡げ、袋体の開口側の余剰部分を収容したサンドイッチの後端に向かって折り畳んで封止することにより包装入りサンドイッチが得られる。
【特許文献１】実開平７−８２３８号公報
【考案の開示】
【考案が解決しようとする課題】
【０００３】
ところで、流通時に袋体内に収容されたサンドイッチを外力から保護するためには、袋体を構成するプラスチックフィルムを厚手のものにして袋体の剛性を高めることが有効である。又、そうすることにより袋体に歪みや皺がよることが防止されて表面が平滑となり見た目の質感が高まるほか、手触り感も向上し、全体に高級感が高まる効果が得られる。
【０００４】
しかしながら、袋体を構成するプラスチックフィルムの剛性が高まることにより、サンドイッチを袋体内に挿入して袋体を立体形状に拡げる際に、プラスチックフィルムの復元力により袋体が正確な三角形状に拡がらず、逆にサンドイッチの角部を押し潰してしまう現象が生じた。例えば、現在流通している包装入りサンドイッチの袋体の厚みは２５μ前後だが、この厚みを４０μとした場合に上記現象が生じることが確認されている。
【課題を解決するための手段】
【０００５】
この考案は以上の従来技術の問題点を解消するための包装入りサンドイッチを提供することを目的として創作されたものであり、両側辺が先端に向かって幅狭となるプラスチックフィルム製の一対のシートを重ね合わせ、各シートの先端所定範囲をタブとして残した状態で、両側辺を横断する線に沿って各シート同士を接着した頂部封止部と、頂部封止部より後方の各シートの両側辺同士を接着した側面封止部により３方を封止した袋体を構成し、この袋体内に袋体より全長が短い三角形のサンドイッチを挿入することにより、袋体をサンドイッチの外形に沿った板状の三角形の立体形状に拡げ、袋体の開口側の余剰部分を収容したサンドイッチの後端に向かって折り畳んで封止した包装入りサンドイッチにおいて、立体形状に拡げた際に構成される三角形の角部に相当する袋体の箇所に、予め折れ目を設けたことを特徴とする。
【考案の効果】
【０００６】
この考案によれば、袋体内にサンドイッチを挿入して袋体が立体形状に拡げられる際に、サンドイッチの角部に相当する袋体の箇所には予め折れ目が設けられているので、上記折れ目にサンドイッチの角部が当接することにより、袋体を構成するプラスチックフィルムは剛性が弱い折れ目箇所を背として容易に直角に折り曲がることとなり、復元力によりサンドイッチの角部が押し潰されることが防止される。
【０００７】
その結果、従来技術の包装入りサンドイッチにおける袋体より厚手のプラスチックフィルムを使用することが可能となり、袋体の剛性が高まることにより収容されたサンドイッチが外力から保護される度合いが高くなることとなる。又、剛性の高まりにより袋体に歪みや皺がよることが防止されて表面が平滑となり見た目の質感が高まるほか、手触り感も向上し、全体に包装入りサンドイッチの高級感が高まる効果も得られる。
【考案を実施するための最良の形態】
【０００８】
以下、この考案の具体的実施例を添付図面に基づいて説明する。図１乃至図６はこの考案の第１実施例を示す図である。図中符号Ｐは袋体であり、プラスチックフィルム製の一対のシート１Ａ、１Ｂにより構成される。一対のシート１Ａ、１Ｂは両側辺が先端に向かって幅狭となる台形又は台形類似の形状に構成され、三方を封止して袋体とした後、この袋体が立体的に拡げられる。この場合、袋体を構成するにあたりシートの先端所定範囲が袋部分を構成しないタブ４Ａ、４Ｂとして残されると共に、シートの後端がサンドイッチＳを差し入れるための開口Ｈとして残される。具体的には、タブ４Ａ、４Ｂの開始地点においてシートの両側辺を横断する線に沿って各シート同士を接着する頂部封止部２が設けられると共に、この頂部封止部より後方の各シートの両側辺同士を接着した側面封止部３が設けられることにより袋体の三方の封止部とされる（図１及び図２参照）。
【０００９】
前記袋体Ｐ内には袋体より全長が短い三角形のサンドイッチＳを挿入することにより、袋体をサンドイッチの外形に沿った板状の三角形の立体形状に拡げ、袋体の開口Ｈ側の余剰部分４を収容したサンドイッチの後端に向かって折り畳んでラベルＴ等により封止することにより包装入りサンドイッチが得られる（図３及び図４参照）。
【００１０】
以上の袋体Ｐには、袋体をサンドイッチの外形に沿った板状の三角形の立体形状に拡げる際に、サンドイッチの角部が当接する箇所の剛性を弱めるために三角形の角部Ｓ１、Ｓ１、Ｓ１、Ｓ１に相当する箇所に４条の折れ目Ｐ１、Ｐ１、Ｐ１、Ｐ１が設けられ、これがこの考案の特徴部分となる。図５及び図６は袋体Ｐを拡げる前の状態における折れ目Ｐ１、Ｐ１、Ｐ１、Ｐ１の位置を示す図である。
【００１１】
又、この実施例においては、袋体を立体形状に拡げた際に構成される三角形の角部に相当するシートの箇所に設けられる前記の各折れ目Ｐ１、Ｐ１、Ｐ１、Ｐ１の後端を環状に結ぶ折れ目Ｐ２も設けている。上記の折れ目Ｐ２は、収容したサンドイッチＳの後端に向かって袋体Ｐの開口Ｈ側の余剰部分４を折り畳む際に、サンドイッチの後端の四辺の角部Ｓ２、Ｓ２、Ｓ２、Ｓ２が当接する箇所に該当する。
【００１２】
尚、包装体Ｐを構成するプラスチックフィルム製のシートとして、この実施例においては厚み４０μのポリプロピレン製のものを使用しているがこれは例示であり、材質はポリプロピレンに限られず、又、厚みも２５μから５０μのものが想定できる。
【００１３】
図７及び図８はこの考案の第２実施例を示す図である。この実施例においては前記第１実施例における折れ目Ｐ１、Ｐ１、Ｐ１、Ｐ１及びＰ２に加え、袋体Ｐの開口側の余剰部分４を収容したサンドイッチの後端に向かって折り畳む際の折り畳み線に相当する箇所にも折れ目Ｐ３、Ｐ３を設けており、その余の構成は前記第１実施例の場合と共通する。
【００１４】
図９及び図１０はこの考案の第３実施例を示す図である。この実施例においては折れ目は袋体を立体形状に拡げた際に構成される三角形の角部に相当するシートの箇所に設けられるＰ１、Ｐ１、Ｐ１、Ｐ１のみであり、その余の構成は前記第１実施例の場合と共通する。
【図面の簡単な説明】
【００１５】
【図１】この考案の包装入りサンドイッチのサンドイッチの挿入途中の状態を示す斜視図。
【図２】同上、異なる角度から観察した斜視図。
【図３】この考案の包装入りサンドイッチのサンドイッチを挿入し終えた状態を示す斜視図。
【図４】この考案の包装入りサンドイッチの包装を完了した状態の斜視図。
【図５】この考案の包装入りサンドイッチの袋体の平面図。
【図６】同上、裏面図
【図７】この考案の包装入りサンドイッチの第２実施例の袋体の平面図。
【図８】同上、裏面図
【図９】この考案の包装入りサンドイッチの第３実施例の袋体の平面図。
【図１０】同上、裏面図
【符号の説明】
【００１６】
Ｐ      包装体
Ｓ      サンドイッチ
１Ａ    シート
１Ｂ    シート
２      頂部封止部
３      側面封止部
４Ａ    タブ
４Ｂ    タブ
Ｐ１    折れ目
Ｐ２    折れ目
Ｐ３    折れ目
【図１】
0003114101.tif 000003
【図２】
0003114101.tif 000004
【図３】
0003114101.tif 000005
【図４】
0003114101.tif 000006
【図５】
0003114101.tif 000007
【図６】
0003114101.tif 000008
【図７】
0003114101.tif 000009
【図８】
0003114101.tif 000010
【図９】
0003114101.tif 000011
【図１０】
0003114101.tif 000012